(57)【要約】    【課題】  本発明の目的は、被験者がベッド上から容易に生体データを見ることのできる被験者健康状態見守り装置を提供することにある。    【解決手段】  生体データ処理装置１はエアマット８の圧力変化により被験者１２の生態データを測定して処理し生体データ映像を出力する。被験者１２がベッド１０上から見られる位置に設置された表示装置１１に生体データ測定装置１で処理された生体データ映像を表示する。【選択図】  図１
2005218604.tif 000002
【特許請求の範囲】
【請求項１】
被験者のベッドに設置されているエアマットと、前記エアマットの圧力変化をエアチューブを介して入力し、前記被験者の生態データを測定して処理する生体データ処理装置と、前記生体データ測定装置から送信される生体データにより前記被験者の健康状態を監視する管理センタと、前記被験者が前記ベッド上から見られる位置に設置され、前記生体データ測定装置で処理された前記生体データ映像を表示する表示装置とを具備することを特徴とする被験者健康状態見守り装置。
【請求項２】
被験者のベッドに設置されているエアマットと、前記エアマットの圧力変化をエアチューブを介して入力し、前記被験者の生態データを測定して処理する生体データ処理装置と、前記生体データ測定装置から送信される生体データにより前記被験者の健康状態を監視する管理センタと、前記被験者が前記ベッド上から見られる位置に設置され、前記生体データ測定装置で処理された前記生体データ映像を表示する表示装置と、前記被験者が前記表示装置に前記生体データ映像を表示させる遠隔操作スイッチとを具備することを特徴とする被験者健康状態見守り装置。
【発明の詳細な説明】
【技術分野】
【０００１】
本発明は、在宅している高齢者や介護を必要とする被介護者等の被験者の健康状態を管理する被験者健康状態見守り装置に関する。
【背景技術】
【０００２】
近来、高齢者の人口が増大する傾向にあり、いわゆる高齢化社会に変わりつつある。このため、高齢者に対する介護負担が増大し、特に在宅介護の場合には常に気を配る必要があり、家族が夜間介護する場合の労力は計り知れないものがある。その結果、介護する人に過大な負担を強いることとなり、大きな社会問題となっている。また、病院や介護施設等においては、就寝中に看護師、介護師が常時、患者または被介護者に付き添う訳にもいかず、定期的な回診、または異常時の通報で患者の健康状態を把握することで対処しているのが現状である。
【０００３】
健康状態を常に把握するには、検査や問診を頻繁に行うことが必要となるが、通常の検査方法では、測定用の検出器を被験者に装着することとなり、横臥中の覚醒状態の被験者には適用できても、睡眠中の被験者に用いることは困難が伴う。
【０００４】
日々変化する被験者（被介護者）の体調は徐々に変化が起きる場合も多く、この種の変化を検出して治療や介護作業に反映できれば、彼らの健康を維持するのに役立つものとなる。
【０００５】
被験者に身体的及び精神的負担を与えずに、被験者の健康状態を無襲、すなわち無拘束でかつ継続的に把握する方法として、被験者が就寝するベッドにエアマットを設置しエアマットにかかる圧力変化を測定することによって、心拍数、呼吸数、イビキ回数、寝返り回数等の生体データを測定する技術が提案され、既に実用化されている。このことは、例えば、下記の特許文献１，２に記載されている。
【０００６】
具体的には、モニタ画面を有する端末装置で構成される生体データ処理装置を被験者の就寝するベッドの近くに設置しておき、被験者や介護者がモニタ画面の表示データを見ることができるようにしている。また、時々刻々変化する生体データを表示するのみでは的確な介護を施すことができないため、生体データ処理装置に自宅のパソコンを接続してデータ処理し、例えば１箇月間の生体データを項目毎に取り出し、その変化傾向をパソコン画面に表示している。更には、通信回線を介して病院等の管理センタに生体データを送信し、管理センタの管理パソコンで被験者の健康状態を見守るようにしている。
【０００７】
【特許文献１】特開２０００−２１４号公報
【特許文献２】特開２００３−１７５００号公報
【発明の開示】
【発明が解決しようとする課題】
【０００８】
従来技術は、被験者自身が生体データを見るためには、被験者が身体を起こしてモニタ画面を見る必要があり煩わしく、また、自宅のパソコンを見るためにはパソコンの設置場所まで移動する必要がある。被験者が見やすいように、ベッドの近くにパソコンを設置するのは、設置場所が限定されてしまうため好ましくない。さらに、被験者が重病や、身体の動きが不自由な高齢者の場合には、自身の生体データを見るのが非常に困難であるという問題点がある。
【０００９】
本発明の目的は、被験者がベッド上から容易に生体データを見ることのできる被験者健康状態見守り装置を提供することにある。
【課題を解決するための手段】
【００１０】
本発明の特徴とするところは、エアマットの圧力変化により被験者の生態データを測定して処理する生体データ処理装置に生体データ映像を出力させ、被験者がベッド上から見られる位置に設置された表示装置に生体データ測定装置で処理された生体データ映像を表示するようにしたことにある。本発明に用いる表示装置は、好ましくは家庭用テレビジョンが使用される。
【００１１】
本発明は生体データ処理装置の生体データ映像を家庭用テレビジョンにビデオ入力することにより、生体データ処理装置のモニタ画面と同じ画像が表示装置（家庭用テレビジョン）に表示される。被験者は遠隔操作スイッチ（リモコンスイッチ）を操作することによって、ベッドに仰向けの状態でも容易に生体データを見ることが可能となる。
【発明の効果】
【００１２】
本発明は被験者がベッド上から見られる位置に設置された表示装置に生体データ測定装置で処理された生体データ映像を表示するようにしているので、被験者が遠隔操作スイッチ（リモコンスイッチ）を操作することによって容易に生体データを見ることができる。
【発明を実施するための最良の形態】
【００１３】
被験者のベッドにエアマットが設置されている。エアマットに加わる圧力変化はエアチューブを介して生体データ処理装置に入力される。生体データ処理装置はエアマットの圧力変化によって被験者の生態データを測定して処理しモニタ画面に表示する。管理センタは生体データ測定装置から送信される生体データにより被験者の健康状態を監視して見守る。表示装置は被験者がベッド上から見られる位置に設置され、生体データ測定装置で処理された生体データ映像を表示する。被験者は遠隔操作スイッチにより表示装置に生体データ映像を表示させる。
【実施例１】
【００１４】
図１に本発明の一実施例を示す。
【００１５】
図１において、被験者１２の自宅居室７にはベッド１０が置かれている。ベッド１０にはデータ測定用のエアマット８が設置されている。被験者１２の生体データを測定し処理する生体データ処理装置１はエアマット８とエアチューブ９により接続され、エアマット８の圧力変化を入力される。
【００１６】
被験者１２は通常の状態でエアマット８の上で就寝する。生体データ処理装置１は圧力変化を検出する圧力センサ（微差圧センサ）が設けられている。生体データ処理装置１は圧力変化によって生体データを測定して処理しモニタ画面に表示する。生体データ処理装置１で測定された生体データは通信回線１９を介して病院や介護施設などの管理センタ１４へ伝送される。
【００１７】
また、生体データ処理装置１はパソコン１３と表示装置（家庭用テレビジョン）１１に接続されている。表示装置１１は被験者１２がベッド１０上から見られる位置に設置され、生体データ測定装置１で処理された被験者１２の生体データ映像を表示する。被験者１２は遠隔操作スイッチ２０を操作して表示装置１１に生体データを表示させる。
【００１８】
生体データ処理装置１と管理センタ１４のデータ処理装置１８は、通信回線１９と通信制御装置１７を介して結ばれ、相互に情報が伝送できるようになっている。データ処理装置１８は測定データの収集、集計、データ分析等の処理を実行する。担当医１５の机上には管理パソコン１６が設置されている。担当医１５は管理パソコン１６を見て被験者１２の健康状態を把握、見守りすると共に、緊急時の被験者異常通報を受けたり、電話器により適宜介護師の待機部屋に指示を出したり、ハンディナースコールで連絡したりすることができるようになっている。
【００１９】
図２、図３に生体データ処理装置１の一例を示す。図２は側面図で、図３はその正面図である。
【００２０】
生体データ処理装置は、モニタ画面１ａ、エアマット８の圧力変化を導入するエアチューブ９の接続部２、表示装置１１に映像信号を与える出力端子３、パソコン１３にデータ信号を送るためのコネクタ４、ナースコール信号端子５およびメモリカード差込み口６を備えている。
【００２１】
生体データ処理装置１は映像信号出力機能を有し、映像信号出力端子３が家庭用テレビジョンなどの表示装置１１のビデオ入力端子に接続されている。被験者１２が遠隔操作スイッチ２０を操作することにより生体データ処理装置１のモニタ画面１ａと同じ画像が表示装置１１に表示される。
【００２２】
このように、家庭用テレビジョンなどの表示装置１１を被験者１２の就寝する部屋に設置し、遠隔操作スイッチ２０を操作することにより、ベッド１０に仰向けの状態でも生体データを見ることが可能となる。過去の生体現象データを見たい場合には、介護する家族にパソコン１３を操作してもらえば、家庭用テレビジョンに表示することができる。
【００２３】
例えば１箇月間の心拍数変化傾向を見たい場合、モニタ画面１ａでは表示が小さ過ぎるが、大画面のテレビジョンを用意すれば大きい画像で表示できる。遠隔操作スイッチ２０の操作は簡単であり、通常のチャンネル番組への切り替え、電源のオンオフも一般的な方法で行うことができる。
【００２４】
また、介護する家族の部屋に家庭用テレビジョンなどの表示装置１１を設置しておけば、その画面を見て被験者１２の状況を監視することもできる。
【図面の簡単な説明】
【００２５】
【図１】本発明の一実施例を示す構成図である。
【図２】生体データ処理装置の一例を示す側面図である。
【図３】生体データ処理装置の一例を示す正面図である。
【符号の説明】
【００２６】
１…生体データ処理装置、１ａ…モニタ画面、２…エアチューブ接続部、３…映像信号出力端子、４…コネクタ、１ａ…モニタ画面、５…ナースコール信号端子、６…メモリカード差込み、７…自宅居室、８…エアマット、９…エアチューブ、１０…ベッド、１１…表示装置（家庭用テレビジョン）、１２…被験者、１３…パソコン、１４…管理センタ、１５…担当医、１６…管理パソコン、１７…通信制御装置、１８…データ処理装置、１９…通信回線、２０…遠隔操作スイッチ。
【図１】
2005218604.tif 000003
【図２】
2005218604.tif 000004
【図３】
2005218604.tif 000005